(57)【特許請求の範囲】
【請求項１】
被梱包物の収納空間を囲むように複数の上パッド側中空凸部および複数の下パッド側中空凸部がそれぞれ突出する上パッドおよび下パッドを有する梱包用緩衝材において、前記下パッドの下方に重ねられたときに、当該下パッドの前記収納空間の底部に相当する領域に下方から部分的に当接する底面保護用中空凸部、および前記下パッド側中空凸部内の途中位置まで入り込む側面補強用中空凸部が形成された補強パッドを有することを特徴とする梱包用緩衝材。
【請求項２】
請求項１において、前記上パッドと下パッドとの間に前記被梱包物を挟み込んだとき、前記上パッド側中空凸部の先端部と前記下パッド側中空凸部の先端部との間に隙間が形成されることを特徴とする梱包用緩衝材。
【請求項３】
請求項１または２において、前記複数の上パッド側中空凸部および前記複数の下パッド側中空凸部には、外側に向かう力が加わったときに先端部の変形を容易とする脆弱部が形成された第１の中空凸部が含まれていることを特徴とする梱包用緩衝材。
【請求項４】
請求項３において、前記脆弱部は、前記中空凸部の先端部で肉薄の底部をもって外周方向に沿って延びた溝であることを特徴とする梱包用緩衝材。
【請求項５】
請求項１ないし４のいずれかにおいて、前記複数の上パッド側中空凸部および前記複数の下パッド側中空凸部には、前記収納空間に向く面側で高さ方向の途中位置に比較して先端側が前記収納空間からみてより引っ込むように傾いたテーパ面の形成された第２の中空凸部が含まれていることを特徴とする梱包用緩衝材。
【請求項６】
請求項１ないし５のいずれかにおいて、前記複数の上パッド側中空凸部および前記複数の下パッド側中空凸部には、隣接する中空凸部との連結部に第１の補強用リブが形成された第３の中空凸部が含まれていることを特徴とする梱包用緩衝材。
【請求項７】
請求項６において、前記第１の補強用リブは、隣接する中空凸部の連結部分で内側から外側に向かって延びた凸状リブあるいは凹状リブであることを特徴とする梱包用緩衝材。
【請求項８】
請求項１ないし７のいずれかにおいて、前記複数の側面補強用中空凸部には、外側に向かう力が加わったときに当該中空凸部の先端部が変形するのを防止する第２の補強用リブが形成された第４の中空凸部が含まれていることを特徴とする梱包用緩衝材。
【請求項９】
請求項８において、前記第２の補強用リブは、前記第４の中空凸部の先端部で内側から外側に向かって延びた凸状リブあるいは凹状リブであることを特徴とする梱包用緩衝材。
【請求項１０】
請求項１ないし９のいずれかにおいて、前記複数の側面補強用中空凸部には、前記底面保護用中空凸部との間に凹部が形成された第５の中空凸部が含まれていることを特徴とする梱包用緩衝材。
【請求項１１】
請求項１ないし１０のいずれかにおいて、前記複数の上パッド側中空凸部および前記複数の下パッド側中空凸部には、外側に向く面側で高さ方向の途中位置に比較して先端側が外側からみてより引っ込むように傾いたテーパ面の形成された第６の中空凸部が含まれていることを特徴とする梱包用緩衝材。
【請求項１２】
請求項１ないし１１のいずれかにおいて、前記上パッド、前記下パッドおよび前記補強パッドは、いずれも矩形の平面形状を有し、前記側面補強用中空凸部のうち、前記補強パッドのコーナー部に位置する複数の中空凸部には、該中空凸部の外側に向く面から当該中空凸部よりも低いリブ状中空凸部が外側に向けて延びている第７の中空凸部が含まれていることを特徴とする梱包用緩衝材。
【請求項１３】
請求項１ないし１２のいずれかにおいて、前記上パッド、前記下パッドおよび前記補強パッドは、いずれもパルプモールドにより形成されたパッドであることを特徴とする梱包用緩衝材。
【請求項１４】
請求項１ないし１３のいずれかにおいて、前記被梱包物は、外装ケースの厚さ方向の中央部分が上下部分に比較して変形しやすい電子機器であることを特徴とする梱包用緩衝材。
【請求項１５】
請求項１４において、前記被梱包物は、外装ケースを構成する上ケース、中ケース、下ケースのうち、前記中ケースが前記上ケースおよび下ケースに比較して変形しやすい電子機器であることを特徴とする梱包用緩衝材。
【請求項１６】
被梱包物の収納空間を囲むように複数の上パッド側中空凸部および複数の下パッド側中空凸部がそれぞれ突出する上パッドおよび下パッドを有する梱包用緩衝材において、前記下パッドの下方に重ねられたときに、前記下パッド側中空凸部の、前記被梱包物の角部分または稜部分が当接する位置まで、前記下パッド側中空凸部内に入り込む側面補強用中空凸部が形成された補強パッドを有することを特徴とする梱包用緩衝材。
【請求項１７】
請求項１６において、前記複数の下パッド側中空凸部の、前記被梱包物の下面の角部分または稜部分が当接する面は、先端側が前記収納空間からみてより引っ込むように傾いたテーパ面となっていることを特徴とする梱包用緩衝材。
【請求項１８】
請求項１６または１７において、前記被梱包物は、厚さ方向の上下部分と、前記上下部分に挟まれた中央部分とを有し、前記中央部分は前記上下部分に比較して変形しやすい電子機器であり、前記上パッドと下パッドとの間に前記被梱包物を挟み込んだとき、前記下パッド側中間凸部と前記中央部分との間に隙間が形成されることを特徴とする梱包用緩衝材。
【請求項１９】
請求項１ないし１８のいずれかに規定する梱包用緩衝材を用いて前記被梱包物をダンボール箱に梱包したことを特徴とする梱包物。
【発明の詳細な説明】
技術分野
本発明は、外装ケースが厚さ方向の中央部分で変形しやすい被梱包物を梱包するときに用いる梱包用緩衝材およびこの梱包用緩衝材を用いて被梱包物を梱包した梱包物に関するものである。
背景技術
プロジェクタ等といった電子機器をダンボール箱などで梱包して輸送する際、外部からの衝撃によって電子機器が損傷を受けることを防止する必要がある。そこで、従来は、例えば、図７に示すように、上パッド１０′および下パッド２０′を有する梱包用緩衝材１′が用いられている。すなわち、ダンボール箱２内に、第１の当て板３、下パッド２０′、被梱包物としてのプロジェクタ５０、上パッド１０′、第２の当て板４をこの順に重ねて収納し、ダンボール箱２内の隙間を埋めるように付属品箱５を詰めている。
ここで、上パッド１０′および下パッド２０′は、いずれもパルプモールドなどの方法で製造されたものであり、プロジェクタ５０の収納空間２１を囲むように複数の上パッド側中空凸部１５および複数の下パッド側中空凸部２５がそれぞれ突出している。従って、プロジェクタ５０は、図８に示すように、上パッド１０′と下パッド２０′の間で上パッド側中空凸部１５および下パッド側中空凸部２５で囲まれた状態で輸送中の振動から保護されている状態にある。なお、図７には図示を省略したが、図８に示すように、下パッド２０′の凹部２２は、プロジェクタ５０の下面を保護する緩衝部として機能する。
しかしながら、プロジェクタ５０を梱包したダンボール箱２を輸送中に誤って落とすことがあり、このようなとき、ダンボール箱２内でプロジェクタ５０には、例えば、矢印Ａ、Ｂで示すように、ダンボール箱２の底面あるいは側方に向かう大きな衝撃が加わってプロジェクタ５０が破損することがある。
そこで、図８に示すように、下パッド２０′の凹部２２に当接する底面保護用中空凸部３１を備える補強パッド３０′を下パッド２０′の下に重ねる構成が考えられる。このような構成によれば、下パッド２０′の凹部２２および補強パッド３０′の底面保護用中空凸部３１が、矢印Ａで示す方向への衝撃を吸収してくれるので、プロジェクタ５０の下面を保護してくれる。
しかしながら、プロジェクタ５０に矢印Ｂで示す方向の衝撃が加わったとき、上パッド側中空凸部１５の基部や下パッド側中空凸部２５の基部が潰れて衝撃を吸収できるものの、上パッド側中空凸部１５の先端部１５０（下端部）や下パッド側中空凸部２５の先端部２５０（上端部）は、矢印Ｂで示す方向からの力に対しては強い剛性を有するため、上パッド側中空凸部１５の基部や下パッド側中空凸部２５の基部が潰れた以降、再び、衝撃が加わると、プロジェクタ５０の外装ケースの厚さ方向の中央部分は、上パッド側中空凸部１５の先端部１５０や下パッド側中空凸部２５の先端部２５０に突き当たって大きな力を受けることになる。しかも、プロジェクタ５０では、外装ケースを構成する上ケース５１、中ケース５２、下ケース５３のうち、上ケース５１や下ケース５３は、ダイキャストや厚肉の樹脂ケースなど強固なもので構成されているが、中ケース５２は、アルミニウム板金で構成されているなど、外装ケースの厚さ方向の中央部分は、上下部分に比較して変形しやすい。それ故、変形しやすい中ケース５２に上パッド側中空凸部１５の先端部１５０や下パッド側中空凸部２５０の先端部２５０が突き当たると、中ケース５２が大きく凹んでしまうという問題点がある。
以上の問題点に鑑みて、本発明の課題は、外装ケースが厚さ方向の中央部分で変形しやすい被梱包物を梱包したときでも、被梱包物の外装ケースが破損することを確実に防止することのできる梱包用緩衝材およびこの梱包用緩衝材を用いた梱包物を提供することにある。
発明の開示
上記課題を解決するため、本発明では、被梱包物の収納空間を囲むように複数の上パッド側中空凸部および複数の下パッド側中空凸部がそれぞれ突出する上パッドおよび下パッドを有する梱包用緩衝材において、前記下パッドの下方に重ねられたときに、当該下パッドの前記収納空間の底部に相当する領域に下方から部分的に当接する底面保護用中空凸部、および前記下パッド側中空凸部内の途中位置まで入り込む側面補強用中空凸部が形成された補強パッドを有することを特徴とする。
本発明では、下パッドの下には、底面保護用中空凸部を備える補強パッドが重ねられているので、被梱包物を梱包したダンボール箱を輸送中に誤って落したためダンボール箱内の被梱包物に底面に向かう大きな衝撃が加わっても、このような衝撃は、底面保護用中空凸部によって吸収される。従って、被梱包物の下面を保護することができる。また、補強パッドの側面補強用中空凸部が下パッド側中空凸部内の途中位置まで入り込んでいるので、ダンボール箱内で被梱包物が側方に移動しようとする大きな衝撃が繰り返し加わっても、下パッド側中空凸部の基部は潰れることがない。従って、上パッド側中空凸部の先端部や下パッド側中空凸部の先端部といった強い剛性を有する部分が被梱包物の側面に当たることがない。それ故、被梱包物において外装ケースを構成する上ケース、中ケース、下ケースのうち、中ケースの強度が弱い場合でも、中ケースが凹むなどといった問題を回避することができる。
本発明において、前記上パッドと下パッドとの間に前記被梱包物を挟み込んだとき、前記上パッド側中空凸部の先端部と前記下パッド側中空凸部の先端部との間に隙間が形成されることが好ましい。このように構成すると、ダンボール箱内で被梱包物が側方に移動しようとする大きな衝撃が加わって、下パッド側中空凸部の基部や上パッド側中空凸部の基部が潰れて上パッド側中空凸部の先端部や下パッド側中空凸部の先端部が被梱包物の側面に当たったときでも、上パッド側中空凸部の先端部と下パッド側中空凸部の先端部との間に隙間があるので、先端部が変形して衝撃を吸収しようとするのをお互いが阻害することがない。それ故、被梱包物の中ケースなどに大きな力が集中して加わることを防止できるので、中ケースが凹むなどといった問題を回避することができる。
本発明において、前記複数の上パッド側中空凸部および前記複数の下パッド側中空凸部には、外側に向かう力が加わったときに先端部の変形を容易とする脆弱部が形成された第１の中空凸部が含まれていることが好ましい。このように構成すると、ダンボール箱内で被梱包物が側方に移動しようとする大きな衝撃が加わって、下パッド側中空凸部の基部や上パッド側中空凸部の基部が潰れて上パッド側中空凸部の先端部や下パッド側中空凸部の先端部が被梱包物の側面に当たったときでも、先端部が容易に変形してくれるので、先端部でも衝撃を吸収することができる。それ故、被梱包物の中ケースなどに大きな力が集中して加わることがないので、中ケースが凹むなどといった問題を回避することができる。
本発明において、前記脆弱部は、例えば、前記中空凸部の先端部で肉薄の底部をもって外周方向に沿って延びた溝である。
本発明において、前記複数の上パッド側中空凸部および前記複数の下パッド側中空凸部には、前記収納空間に向く面側で高さ方向の途中位置に比較して先端側が前記収納空間からみて引っ込むように傾いたテーパ面の形成された第２の中空凸部が含まれていることが好ましい。このように構成すると、ダンボール箱内で被梱包物が側方に移動しようとする大きな衝撃が加わって、下パッド側中空凸部の基部や上パッド側中空凸部の基部が潰れても、上パッド側中空凸部の先端部や下パッド側中空凸部の先端部が被梱包物の側面に当たりにくいので、被梱包物の中ケースなどに大きな力が集中して加わることがない。それ故、中ケースが凹むなどといった問題を回避することができる。
本発明において、前記複数の上パッド側中空凸部および前記複数の下パッド側中空凸部には、隣接する中空凸部との連結部に第１の補強用リブが形成された第３の中空凸部が含まれていることが好ましい。このように構成すると、ダンボール箱内で被梱包物が側方に移動しようとする大きな衝撃が加わって、隣接する中空凸部の連結部に大きな力が加わっても、連結部が第１の補強用リブで補強されているので、連結部は、潰れることなく被梱包物を支える。それ故、下パッド側中空凸部の基部や上パッド側中空凸部の基部が潰れて上パッド側中空凸部の先端部や下パッド側中空凸部の先端部が被梱包物の側面に当たりにくくなるので、被梱包物の中ケースなどに大きな力が集中して加わることがない。それ故、中ケースが凹むなどといった問題を回避することができる。
本発明において、前記第１の補強用リブは、例えば、隣接する中空凸部の連結部分で内側から外側に向かって延びた凸状リブあるいは凹状リブである。
本発明において、前記複数の側面補強用中空凸部には、外側に向かう力が加わったときに当該中空凸部の先端部が変形するのを防止する第２の補強用リブが形成された第４の中空凸部が含まれていることが好ましい。このように構成すると、ダンボール箱内で被梱包物が側方に移動しようとする大きな衝撃が加わって、下パッド側中空凸部の基部に大きな衝撃が加わっても、下パッド側中空凸部の基部は、第２の補強用リブで補強された補強パッドの側面補強用中空凸部で支持され、潰れない。それ故、上パッド側中空凸部の先端部や下パッド側中空凸部の先端部が被梱包物の側面に当たりにくくなるので、被梱包物の中ケースなどに大きな力が集中して加わることがない。それ故、中ケースが凹むなどといった問題を回避することができる。
本発明において、前記第２の補強用リブは、例えば、前記第４の中空凸部の先端部で内側から外側に向かって延びた凸状リブあるいは凹状リブである。
本発明において、前記複数の側面補強用中空凸部には、前記底面保護用中空凸部との間に凹部が形成された第５の中空凸部が含まれていることが好ましい。このような凹部を形成しておくと、ダンボール箱内で被梱包物が側方に移動しようとする大きな衝撃などが加わっても、側面補強用中空凸部と底面保護用中空凸部との境界部分が突っ張らないので、この境界部分が破れてしまうことを防止できる。
本発明において、前記複数の上パッド側中空凸部および前記複数の下パッド側中空凸部には、外側に向く面側で高さ方向の途中位置に比較して先端側が外側からみてより引っ込むように傾いたテーパ面の形成された第６の中空凸部が含まれていることが好ましい。このように構成すると、前記上パッド側中空凸部の先端部および前記下パッド側中空凸部の先端部は、テーパによってダンボール箱から離れている状態にある。このため、外側ダンボール箱の側面のうち、厚さ方向の中央部分に外側から衝撃が加わっても、この衝撃は、上パッド側中空凸部の先端部および下パッド側中空凸部の先端部に伝わらないので、被梱包物の中ケースなどにも伝わらない。それ故、中ケースが凹むなどといった問題を回避することができる。
本発明において、前記上パッド、前記下パッドおよび前記補強パッドは、いずれも矩形の平面形状を有し、前記側面補強用中空凸部のうち、前記補強パッドのコーナー部に位置する複数の中空凸部には、該中空凸部の外側に向く面から当該中空凸部よりも低いリブ状中空凸部が外側に向けて延びている第７の中空凸部が含まれていることが好ましい。このように構成すると、ダンボール箱内で被梱包物がコーナー部に移動しようとする大きな衝撃が加わっても、側面補強用中空凸部がリブ状中空凸部によって補強されているので、コーナー部においても、補強パッドの側面補強用中空凸部が潰れない。従って、コーナー部の下パッド側中空凸部の基部が潰れないので、コーナー部を下にしてダンボール箱が落下しても、被梱包物の中ケースなどに大きな力が集中して加わることがない。それ故、中ケースが凹むなどといった問題を回避することができる。また、リブ状中空凸部は、背が低いので、ダンボール箱の厚さ方向における中央部分から離れている状態にある。このため、外側ダンボール箱の側面のうち、厚さ方向の中央部分に外側から衝撃が加わっても、この衝撃は、上パッド側中空凸部の先端部および下パッド側中空凸部を経由して被梱包物の中ケースなどにも伝わらない。それ故、中ケースが凹むなどといった問題を回避することができる。
本発明において、前記上パッド、前記下パッドおよび前記補強パッドは、例えば、パルプモールドにより形成されたパッドである。
本発明において、前記被梱包物は、外装ケースの厚さ方向の中央部分が上下部分に比較して変形しやすい電子機器、例えば、外装ケースを構成する上ケース、中ケース、下ケースのうち、前記中ケースが前記上ケースおよび下ケースに比較して変形しやすいプロジェクタなどの電子機器である。
また、本発明では、被梱包物の収納空間を囲むように複数の上パッド側中空凸部および複数の下パッド側中空凸部がそれぞれ突出する上パッドおよび下パッドを有する梱包用緩衝材において、前記下パッドの下方に重ねられたときに、前記下パッド側中空凸部の、前記被梱包物の角部分または稜部分が当接する位置まで、前記下パッド側中空凸部内に入り込む側面補強用中空凸部が形成された補強パッドを有することを特徴とする。
本発明では、補強パッドの側面補強用中空凸部が下パッド側中空凸部の被梱包物の角部分または稜部分が当接する位置まで、下パッド側中空凸部内に入り込んでいるので、ダンボール箱内で被梱包物が下方や側方に移動しようとする大きな衝撃が繰り返し加わっても、下パッド側中空凸部の基部は潰れることがない。従って、上パッド側中空凸部の先端部や下パッド側中空凸部の先端部といった強い剛性を有する部分が被梱包物の側面に当たることがない。それ故、被梱包物において外装ケースを構成する上ケース、中ケース、下ケースのうち、中ケースの強度が弱い場合でも、中ケースが凹むなどといった問題を回避することができる。
本発明において、前記複数の下パッド側中空凸部の、前記被梱包物の下面の角部分または稜部分が当接する面は、先端側が前記収納空間からみてより引っ込むように傾いたテーパ面となっていることが好ましい。さらに、前記被梱包物は、厚さ方向の上下部分と、前記上下部分に挟まれた中央部分とを有し、前記中央部分は前記上下部分に比較して変形しやすい電子機器であり、前記上パッドと下パッドとの間に前記被梱包物を挟み込んだとき、前記下パッド側中間凸部と前記中央部分との間に隙間が形成されることが好ましい。このように構成すると、ダンボール箱内で被梱包物が側方に移動しようとする大きな衝撃が加わって、下パッド側中空凸部の基部や上パッド側中空凸部の基部が潰れても、上パッド側中空凸部の先端部や下パッド側中空凸部の先端部が被梱包物の側面に当たりにくいので、被梱包物の中ケースなどに大きな力が集中して加わることがない。それ故、中ケースが凹むなどといった問題を回避することができる。
本発明に係る梱包物では、前記梱包用緩衝材を用いて前記被梱包物がダンボール箱などに梱包される。
発明を実施するための最良の形態
添付図面を参照して、本発明の実施の形態を説明する。
図１は、本発明を適用した梱包用緩衝材を用いて被梱包物としてのプロジェクタ（電子機器）をダンボール箱に梱包する様子を示す説明図、図２（Ａ）、（Ｂ）はそれぞれ、この梱包用緩衝材を構成するのに用いた下パッドおよび補強パッドの説明図である。図３（Ａ）、（Ｂ）、（Ｃ）はそれぞれ、図１に示す下パッドの左右側端部に形成されている下パッド側中空凸部の周辺を拡大して示す説明図、この下パッド側中空凸部の先端部の断面図、および図１に示す補強パッドの左右側端部に形成されている側面補強用中空凸部の周辺を拡大して示す説明図である。図４は、図３（Ａ）に示す下パッド側中空凸部に対して、図３（Ｂ）に示す側面補強用中空凸部が途中位置まで入り込んだ状態でプロジェクタが収納されている状態を示す断面図である。図５（Ａ）、（Ｂ）はそれぞれ、図１に示す下パッドの後端部に形成されている下パッド側中空凸部の周辺を拡大して示す説明図、および図１に示す補強パッドの後端部に形成されている側面補強用中空凸部の周辺を拡大して示す説明図である。図６は、図５（Ａ）に示す下パッド側中空凸部に対して、図５（Ｂ）に示す側面補強用中空凸部が途中位置まで入り込んだ状態でプロジェクタが収納されている状態を示す断面図である。なお、図１および図２において、下パッドの凹部などの図示は省略してある。
図１において、本実施の形態に係る梱包用緩衝材１を用いて梱包される被梱包物は、プロジェクタ５０である。プロジェクタ５０の前端面５５では、投写レンズ（図示せず）を内蔵するレンズ筒５６が突出しており、左右側面のうち、後方からみて（画像の投写方向に向かって）右側の側面５８には取っ手５７が取付けられている。
このプロジェクタ５０は、外装ケースを構成する上ケース５１、中ケース５２、下ケース５３のうち、上ケース５１や下ケース５３は、ダイキャストや厚肉の樹脂ケースなど強固なものとして構成されているが、中ケース５２は、アルミニウム板金で構成されているため、外装ケースの厚さ方向の中央部分は、上下部分に比較して変形しやすい。また、プロジェクタ５０の後端面において、中ケース５２には、光源ランプ（図示せず）を交換するときに開閉される蓋５４が取付けられており、この蓋５４の部分は特に強度が低い。
このようなプロジェクタ５０をダンボール箱２に梱包するにあたって、本形態では、補強パッド３０、下パッド２０および上パッド１０を備えた梱包用緩衝材１を用いる。すなわち、プロジェクタ５０をダンボール箱２に梱包する際には、ダンボール箱２内に、第１の当て板３、補強パッド３０、下パッド２０、シート６で包まれたプロジェクタ５０、上パッド１０、第２の当て板４をこの順に重ねた状態で収納し、ダンボール箱２内の隙間を埋めるように付属品箱５を詰める。
ここで、上パッド１０および下パッド２０は、図２（Ａ）、（Ｂ）に示すように、パルプモールドで製造されたものであり、プロジェクタ５０の収納空間２１を囲むように複数の上パッド側中空凸部１５および複数の下パッド側中空凸部２５がそれぞれ突出している。従って、プロジェクタ５０は、上パッド１０と下パッド２０の間で周りを上パッド側中空凸部１５および下パッド側中空凸部２５で囲まれて輸送中の振動から保護されることになる。
また、プロジェクタ５０を梱包したダンボール箱２を輸送中に誤って落とした場合、ダンボール箱２内でプロジェクタ５０には、例えば、図４および図６に矢印Ａ、Ｂで示すように、ダンボール箱２の底面あるいは側方に移動しようとする大きな衝撃が加わる。このようなときでも、プロジェクタ５０の下面、あるいは強度が弱い中ケース５２や蓋５４が破損しないよう、各箇所に適した対策を施してある。
（基本的な対策）
まず、図３（Ａ）、（Ｃ）に示すように、プロジェクタ５０の左右端部に相当する部分では、下パッド２０の収納空間２１に凹部２２が形成されている一方、補強パッド３０には、補強パッド３０を下パッド１０の下方に重ねたときに、下パッド１０の凹部２２に下方から当接する底面保護用中空凸部３１が形成されている。また、補強パッド３０には、下パッド２０の下パッド側中空凸部２５内の途中位置まで入り込む側面補強用中空凸部３５も形成されている。
このため、図４に示すように、下パッド２０の下に補強パッド３０を重ねた状態で、下パッド２０と上パッド１０との間にプロジェクタ５０を収納すると、プロジェクタ５０の下面が下パッド２０に支持され、かつ、この下パッド２０では、補強パッド３０の底面保護用中空凸部３１で下パッド２０の凹部２２が下方から支持された状態になる。また、プロジェクタ５０の下面の角部分または稜部分は、下パッド側中空凸部２５の高さ方向の途中位置で支持され、この位置まで、補強パッド３０の側面補強用中空凸部３５が入り込んでいる。さらに、この状態において、下パッド側中空凸部２５の先端部２５０（上端部）と上パッド側中空凸部１５の先端部１５０（下端部）との間には隙間が空いている。
また、図５（Ａ）、（Ｂ）に示すように、プロジェクタ５０の後端部に相当する部分でも、下パッド２０に凹部２２が形成されている一方、補強パッド３０には、補強パッド３０を下パッド２０の下方に重ねたときに、下パッド２０の凹部２２に下方から当接する底面保護用中空凸部３１が形成されている。また、補強パッド３０には、下パッド２０の下パッド側中空凸部２５内の途中位置まで入り込む側面補強用中空凸部３５も形成されている。
このため、図６に示すように、下パッド２０の下に補強パッド３０を重ねた状態で、下パッド２０と上パッド１０との間にプロジェクタ５０を収納すると、プロジェクタ５０の後端部においても、プロジェクタ５０の下面が下パッド２０に支持され、かつ、この下パッド２０では、補強パッド３０の底面保護用中空凸部３１で下パッド２０の凹部２２が下方から支持された状態になる。また、プロジェクタ５０の下面の角部分または稜部分は、下パッド側中空凸部２５の高さ方向の途中位置で支持され、この位置まで、補強パッド３０の側面補強用中空凸部３５が入り込んでいる。さらに、この状態において、下パッド側中空凸部２５の先端部２５０（上端部）と上パッド側中空凸部１５の先端部１５０（下端部）との間には隙間が空いている。
このように、本形態では、プロジェクタ５０を梱包したダンボール箱２を輸送中に誤って落したためダンボール箱２内でプロジェクタ５０に底面に向かう大きな衝撃が加わっても、このようは衝撃は、下パッド２０の凹部２２および補強パッド３０の底面保護用中空凸部３１によって吸収されるので、プロジェクタ５０の下面を保護することができる。
また、補強パッド３０の側面補強用中空凸部３５が下パッド側中空凸部２５の途中位置まで入り込んでいるため、ダンボール箱２内でプロジェクタ５０に側面に向かおうとする大きな衝撃が加わっても、下パッド側中空凸部２５の基部は、潰れることがない。従って、下パッド側中空凸部２５の先端部２５０といった横方向からの力に強い剛性を有する部分がプロジェクタ５０の中ケース５２に突き当たることがない。それ故、プロジェクタ５０において外装ケースを構成する上ケース５１、中ケース５２、下ケース５３のうち、中ケース５２の強度が弱い場合でも、中ケース５０が凹むなどといった問題を回避することができる。
しかも、本実施の形態では、下パッド側中空凸部２５の先端部２５０と上パッド側中空凸部１５の先端部１５０との間には隙間が空いているため、下パッド側中空凸部２５の基部や上パッド側中空凸部１５の基部が潰れて上パッド側中空凸部１５の先端部１５０や下パッド側中空凸部２５の先端部２５０がプロジェクタ５０の中ケース５２に当たったときでも、先端部１５０、２５０同士は互いの変形を妨げない。それ故、上パッド側中空凸部１５の先端部１５０や下パッド側中空凸部２５の先端部２５０がプロジェクタ５０の中ケース５２に当たったとき、上パッド側中空凸部１５の先端部１５０や下パッド側中空凸部２５の先端部２５０が潰れることによって、中ケース５２を凹ませない。
（第１の中空凸部構造）
本形態において、図３（Ａ）に示す下パッド側中空凸部２５は、先端部２５０の変形を容易とする脆弱部２８が形成された第１の中空凸部構造を有している。すなわち、図３（Ｂ）に示すように、上パッド側中空凸部２５の先端部２５０には、肉薄の底部２８０をもって外周方向に沿って延びた溝からなる脆弱部２８が形成されている。
なお、図示を省略するが、複数の上パッド側中空凸部１５の中にも、同様な溝からなる脆弱部が形成された構成の中空凸部が含まれている。
このような第１の中空凸部構造を有する下パッド側中空凸部２５あるいは上パッド側中空凸部１５では、ダンボール箱２内でプロジェクタ５０に側方に向かう大きな衝撃が加わって下パッド側中空凸部２５の基部や上パッド側中空凸部１５の基部が潰れたため上パッド側中空凸部１５の先端部１５０や下パッド側中空凸部２５の先端部２５０がプロジェクタ５０の中ケース５２に突き当たったときでも、先端部１５０、２５０が脆弱部２８によって容易に変形してくれるので、先端部１５０、２５０が中ケース５２を凹ませることがない。
（第２の中空凸部構造）
本形態において、図５（Ａ）、（Ｂ）に示す下パッド側中空凸部２５では、収納空間２１に向く面側で高さ方向の途中位置に比較して先端側が収納空間からみてより引っ込むように斜め上向きに傾いたテーパ面２５５の形成された第２の中空凸部構造を有している。
なお、図６に示すように、上パッド側中空凸部１５の一部も、収納空間に向く面側で高さ方向の途中位置に比較して先端側が収納空間からみてより引っ込むように斜め下向きに傾いたテーパ面１９の形成された第２の中空凸部構造を有している。
このような第２の中空凸部構造を有する下パッド側中空凸部２５あるいは上パッド側中空凸部１５では、ダンボール箱２内でプロジェクタ５０に側方に移動しようとする大きな衝撃が加わって下パッド側中空凸部２５の基部や上パッド側中空凸部１５の基部が潰れても、上パッド側中空凸部１５の先端部１５０や下パッド側中空凸部２５の先端部２５０は、テーパ面１９、２５５によって引っ込んでいる分、プロジェクタ５０の中ケース５２や蓋５４に突き当たらない。それ故、中ケース５２や蓋５４が凹むなどといった問題を回避することができる。
（第３の中空凸部構造）
本形態において、図５（Ａ）に示す下パッド側中空凸部２５は、隣接する中空凸部との連結部２６に第１の補強用リブ２６０が形成された第３の中空凸部構造を有している。すなわち、隣接する下パッド側中空凸部２５の連結部２６には、内側から外側に向かって延びた凸状リブあるいは凹状リブからなる第１の補強用リブ２６０が形成されている。
なお、図示を省略するが、上パッド側中空凸部１５の一部も、隣接する中空凸部との連結部に第１の補強用リブが形成された第３の中空凸部構造を有している。
このような第３の中空凸部構造を有する下パッド側中空凸部２５あるいは上パッド側中空凸部１５では、ダンボール箱２内でプロジェクタ５０が側方に移動しようとする大きな衝撃が加わって連結部２６に大きな力が加わっても、連結部２６が第１の補強用リブ２６０で補強されているので、連結部２６は、潰れることなくプロジェクタ５０の上ケース５１あるいは下ケース５３に相当する部分を支える。それ故、下パッド側中空凸部２５の基部や上パッド側中空凸部１５の基部が潰れて上パッド側中空凸部１５の先端部１５０や下パッド側中空凸部２５の先端部２５０がプロジェクタ５０の中ケース５２や蓋５４に突き当たることがないので、中ケース５２や蓋５４が凹むなどといった問題を回避することができる。
（第４の中空凸部構造）
本形態において、図５（Ｂ）に示す側面補強用中空凸部３５には、外側に向かう力が加わったときにこの中空凸部の先端部３５０が変形するのを防止する第２の補強用リブ３６が形成された第４の中空凸部構造を有している。すなわち、側面補強用中空凸部３５の先端部３５０には、内側から外側に向かって延びた凹状リブからなる第２の補強用リブ３６が形成されている。
このような第４の中空凸部構造を有する側面補強用中空凸部３５では、ダンボール箱２内でプロジェクタ５０に側方に向かう大きな衝撃が加わって下パッド側中空凸部２５の基部に大きな衝撃が加わっても、下パッド側中空凸部２５の基部は、第２の補強用リブ３６で補強された側面補強用中空凸部３５で支持されているので、潰れない。それ故、下パッド側中空凸部２５の先端部２５０がプロジェクタ５０の中ケース５２や蓋５４に突き当たることがないので、中ケース５２や蓋５４が凹むといった問題を回避することができる。
なお、第２の補強用リブ３６については、凸状リブであってもよい。
（第５の中空凸部構造）
本形態において、図５（Ｂ）に示す側面補強用中空凸部３５は、底面保護用中空凸部３１との間に凹部３４が形成された第５の中空凸部構造を有している。このため、ダンボール箱２内でプロジェクタ５０が側方に移動しようとする大きな衝撃が加わっても、側面補強用中空凸部３５と底面保護用中空凸部３１との境界部分が突っ張らないので、この境界部分が破れてしまうことを防止できる。
（第６の中空凸部構造）
図２に示すように、複数の下パッド側中空凸部２５のうち、コーナー部に形成された下パッド側中空凸部２５は、外側に向く面側で高さ方向の途中位置に比較して先端側が外側からみてより引っ込むように斜め上向きに傾いたテーパ面２９の形成された第６の中空凸部構造を有している。
なお、図示を省略するが、上パッド側中空凸部１５の一部も、外側に向く面側で高さ方向の途中位置に比較して先端側が外側からみてより引っ込むように斜め下向きに傾いたテーパ面の形成された第６の中空凸部構造を有している。
このような第６の中空凸部構造の下パッド側中空凸部２５あるいは上パッド側中空凸部１５では、先端部１５０、２５０がダンボール箱２の内面から離れている。このため、外側ダンボール箱２の側面のうち、厚さ方向の中央部分に外側から衝撃が加わっても、この衝撃は、上パッド側中空凸部１５の先端部１５０および下パッド側中空凸部２５の先端部２５０に伝わらないので、プロジェクタ５０の中ケース５２にも伝わらない。それ故、中ケース５２が凹むなどといった問題を回避することができる。
（第７の中空凸部構造）
図２に示すように、補強パッド３０のコーナー部に位置する側面補強用中空凸部３５は、中空凸部の外側に向く面からこの中空凸部よりも低いリブ状中空凸部３８が外側に向けて延びている第７の中空凸部構造を有している。
このため、ダンボール箱２内でプロジェクタ５０がコーナー部に向けて移動しようとする大きな衝撃が加わっても、側面補強用中空凸部３５は、リブ状中空凸部３８によって支えられているので、側面補強用中空凸部３５は強固である。従って、コーナー部を下にしてダンボール箱２を落下させても、コーナー部の側面補強用中空凸部３５は潰れることなく、リブ状中空凸部３８は、低いので、先端部がダンボール箱２の内面から離れている。このため、外側ダンボール箱２の側面のうち、厚さ方向の中央部分に外側から衝撃が加わっても、この衝撃は、リブ状中空凸部３８に伝わらないので、側面補強用中空凸部３５を経由してプロジェクタ５０の中ケース５２に伝わることもない。それ故、中ケース５２が凹むなどといった問題を回避することができる。
以上説明したように、本発明において、下パッドの下には、底面保護用中空凸部を備える補強パッドが重ねられているので、被梱包物を梱包したダンボール箱を輸送中に誤って落したためダンボール箱内の被梱包物に底面に向かう大きな衝撃が加わっても、このような衝撃は、底面保護用中空凸部によって吸収される。従って、被梱包物の下面を保護することができる。また、補強パッドの側面補強用中空凸部が下パッド側中空凸部内の途中位置まで入り込んでいるので、ダンボール箱内で被梱包物が側方に移動しようとする大きな衝撃が繰り返し加わっても、下パッド側中空凸部の基部は潰れることがない。このため、上パッド側中空凸部の先端部や下パッド側中空凸部の先端部といった強い剛性を有する部分に被梱包物の側面に当たることがない。それ故、被梱包物において外装ケースを構成する上ケース、中ケース、下ケースのうち、中ケースの強度が弱い場合でも、中ケースが凹むなどといった問題を回避することができる。
【図面の簡単な説明】
図１は、本発明を適用した梱包用緩衝材を用いて被梱包物としてのプロジェクタ（電子機器）をダンボール箱に梱包する様子を示す説明図である。
図２（Ａ）、（Ｂ）はそれぞれ、図１に示す梱包用緩衝材を構成するのに用いた下パッドおよび補強パッドの説明図である。
図３（Ａ）、（Ｂ）、（Ｃ）はそれぞれ、図１に示す下パッドの左右側端部に形成されている下パッド側中空凸部の一部を拡大して示す説明図、この下パッド側中空凸部の先端部の断面図、および図１に示す補強パッドの左右側端部に形成されている側面補強用中空凸部の一部を拡大して示す説明図である。
図４は、図３（Ａ）に示す下パッド側中空凸部に対して、図３（Ｂ）に示す側面補強用中空凸部が途中位置まで入り込んだ状態でプロジェクタが収納されている状態を示す断面図である。
図５（Ａ）、（Ｂ）はそれぞれ、図１に示す下パッドの後端部に形成されている下パッド側中空凸部の一部を拡大して示す説明図、および図１に示す補強パッドの後端部に形成されている側面補強用中空凸部の一部を拡大して示す説明図である。
図６は、図５（Ａ）に示す下パッド側中空凸部に対して、図５（Ｂ）に示す側面補強用中空凸部が途中位置まで入り込んだ状態でプロジェクタが収納されている状態を示す断面図である。
図７は、従来の梱包用緩衝材を用いて被梱包物としてのプロジェクタ（電子機器）をダンボール箱に梱包する様子を示す説明図である。
図８は、従来の梱包用緩衝材がプロジェクタを挟み込んでいる様子を示す断面図である。
【図１】
0004013760.tif 000002
【図２】
0004013760.tif 000003
【図３】
0004013760.tif 000004
【図４】
0004013760.tif 000005
【図５】
0004013760.tif 000006
【図６】
0004013760.tif 000007
【図７】
0004013760.tif 000008
【図８】
0004013760.tif 000009